(57)【特許請求の範囲】
【請求項１】
立ち上げ箇所に上側から押し込んで装着される装着部と、上記装着部の屋外側部位の下側から屋外側に斜め上方に延びる弾性を有したヒレ状の水切片部と、を備える水切りが、１階外壁の外装材の下面に上記水切片部を接触させて設けられるとともに、上記外装材の下部裏面側に設けられた見切り部材に形成されている立ち上げ箇所に上記装着部が装着されたことを特徴とする外装材の水切り構造。
【請求項２】
立ち上げ箇所に上側から押し込んで装着される装着部と、上記装着部の屋外側部位の下側から屋外側に斜め上方に延びる弾性を有したヒレ状の水切片部と、を備える水切りが、垂れ壁の外装材の下面に上記水切片部を接触させて設けられるとともに、上記外装材の下部裏面側に設けられる軒天支持部材に形成されている立ち上げ箇所に上記装着部が装着されたことを特徴とする外装材の水切り構造。
【請求項３】
請求項１または請求項２に記載の外装材の水切り構造において、上記装着部は上記水切片部よりも硬い素材からなることを特徴とする外装材の水切り構造。
【請求項４】
請求項１〜請求項３のいずれか１項に記載の外装材の水切り構造において、上記装着部の内側には、上記立ち上げ箇所に接触する弾性を有する押圧片部が１または複数形成されていることを特徴とする外装材の水切り構造。
【請求項５】
請求項４に記載の外装材の水切り構造において、上記押圧片部は斜め上向きに突出していることを特徴とする外装材の水切り構造。
【請求項６】
請求項１〜請求項５のいずれか１項に記載の外装材の水切り構造において、上記装着部の屋内側部位の下側には、上記立ち上げ箇所を装着部に案内するガイド部が形成されていることを特徴とする外装材の水切り構造。
【発明の詳細な説明】
【技術分野】
【０００１】
この発明は、雨水の屋内側への回り込みを防止する水切りおよび外装材の水切り構造に関する。
【背景技術】
【０００２】
特許文献１には、外壁の下端部に取付けられて、基礎への水の浸入を防止する基礎水切りであって、前記外壁を構成する躯体の表面側に該躯体より下方に突出するようにして設けられた外壁材と、前記躯体の下端部から突出して前記外壁材の下端部を補強する補強板との間に下方から挿入される挿入部と、この挿入部から斜め下方に延びるようにして形成された水切り部と、該水切り部の基端部から下方に延びるようにして形成されて、先端部が基礎の上面より下方に位置する見切り部とを備えた基礎水切りが開示されている。
【０００３】
また、特許文献２には、垂れ壁の下に水切りを兼ねた垂れ壁見切りが備えられ、垂れ壁と外壁との間の縦目地に乾式の目地止水材が設置されると共に、垂れ壁見切りの端部と外壁面との間に乾式の見切り端部止水材が設置され、該見切り端部止水材は、前記目地止水材の下端部の背面側を立ち上がる立ち上がり部を備えた乾式防水構造が開示されている。
【０００４】
また、図５に示すように、外壁パネル１０１における外装材１０１ａの下端部に長尺の換気スリット部材１０２を設けるとともに、この換気スリット部材１０２を用いて長尺の水切り１０３を取り付ける構造がある。上記水切り１０３は、断面四辺形状の黒色の発泡ゴム部１０３ａと、これを支持する断面略Ｌ字状の支持鋼板１０３ｂとからなる。そして、上記支持鋼板１０３ｂの縦片部がリベット１０５によって上記換気スリット部材１０２の立ち上げ部１０２ａに固定され、これによって上記発泡ゴム部１０３ａが外壁パネル１０１の外装材１０１ａの下面に圧接されるようになっている。上記発泡ゴム部１０３ａの厚さは２ｍｍ程度であり、この厚さの範囲内で縮み、上記支持鋼板１０３ｂと外装材１０１ａの下端部との間の隙間の誤差を吸収できるようになっている。
【先行技術文献】
【特許文献】
【０００５】
【特許文献１】特開２０００−１７９０５７号公報
【特許文献２】特開２００５−２６４６３０号公報
【発明の概要】
【発明が解決しようとする課題】
【０００６】
しかしながら、上記発泡ゴム部１０３ａを上記支持鋼板１０３ｂにより支持する構造では、上記発泡ゴム部１０３ａを上記支持鋼板１０３ｂに取り付ける工程、上記リベット１０５を打ち付ける工程等が必要になり、作製コストが割高になる。また、隣り合う外壁パネル１０１の取り付け高さにずれ（２ｍｍ程度）があると、この隣り合う外壁パネル１０１を跨いで設けられる支持鋼板１０３ｂは斜めに配置されることになる。この場合、上記支持鋼板１０３ｂは硬くて撓ることができず、上記斜め配置による上記支持鋼板１０３ｂと上記外装材１０１ａの下端との間の略三角状の隙間を上記発泡ゴム部１０３ａで吸収することになる結果、上記外装材１０１ａの下端からの上記支持鋼板１０３ｂの離間が目立ちがちとなり、建物外観の美観を悪くするという欠点もある。また、上記特許文献１、２に記載の構造においても、水切り設置の施工性等の更なる向上が求められる。
【０００７】
この発明は、上記の事情に鑑み、水切り設置の施工性を向上でき、また、水切り設置箇所の美観を向上することを課題とする。
【課題を解決するための手段】
【０００８】
この発明の水切りは、上記の課題を解決するために、立ち上げ箇所に上側から押し込んで装着される装着部と、上記装着部の屋外側部位の下側から屋外側に斜め上方に延びる弾性を有したヒレ状の水切片部と、を備えることを特徴とする。
【０００９】
上記の構成であれば、上記装着部を上記立ち上げ箇所に上側から押し込むことで水切りを装着できることになるので、従来構造のようにリベットを用いて水切りを部材に固定する必要がなく、水切り設置の施工性が向上し、作業コストも低減できる。また、弾性を有したヒレ状の水切片部を水切り対象となる部位の下面に接触させるので、水切り対象となる部位の下面に段差が生じたとしても、上記下面から水切片部が離間して見えることが生じ難くなり、水切り対象となる部位の下面側における美観が向上する。
【００１０】
上記装着部は上記水切片部よりも硬い素材からなっていてもよい。これによれば、上記装着部で上記水切片部をしっかりと支持することができる。
【００１１】
上記装着部の内側には、上記立ち上げ箇所に接触する弾性を有する押圧片部が１または複数形成されていてもよい。これによれば、上記装着部が上記立ち上げ箇所から外れ難くなる。
【００１２】
上記押圧片部は斜め上向きに突出していてもよい。これによれば、上記押圧片部が逆刺（かえし）として機能するので、上記装着部を上記立ち上げ箇所に容易に入れることができる一方で、上記装着部が上記立ち上げ箇所から外れ難くなる。
【００１３】
上記装着部の屋内側部位の下側には、上記立ち上げ箇所を装着部に案内するガイド部が形成されていてもよい。これによれば、上記ガイドによって上記立ち上げ箇所を装着部に案内するので、上記装着部を上記立ち上げ箇所に入れ易くなる。
【００１４】
また、この発明の外装材の水切り構造は、上記水切りが、１階外壁の外装材の下面に上記水切片部を接触させて設けられるとともに、上記外装材の下部裏面側に設けられた見切り部材に形成されている立ち上げ箇所に上記装着部が装着されたことを特徴とする。
【００１５】
上記の構成であれば、上記水切りが、上記１階外壁の外装材の下部裏面側に配置する見切り部材の立ち上げ箇所に、リベットを使わずに装着されるので、水切りの取り付けの施工性が向上する。そして、従来の水切りにおける支持鋼板は不要であり、外装材の下部からの支持鋼板の離間が目立つといったことが無くなることからも、建物外観の美観を向上できる。
【００１６】
また、この発明の外装材の水切り構造は、上記水切りが、垂れ壁の外装材の下面に上記水切片部を接触させて設けられるとともに、上記外装材の下部裏面側に設けられる軒天支持部材に形成されている立ち上げ箇所に上記装着部が装着されたことを特徴とする。
【００１７】
上記の構成であれば、上記水切りが、上記垂れ壁の外装材の下部裏面側に配置する軒天支持部材の立ち上げ箇所に、リベットを使わずに装着されるので、水切りの取り付けの施工性が向上する。
【発明の効果】
【００１８】
本発明であれば、水切り設置の施工性を向上でき、また、水切り設置箇所の美観を向上できるという効果を奏する。
【図面の簡単な説明】
【００１９】
【図１】本発明の実施形態の１階外壁パネルにおける外装材の水切り構造を示した概略の断面図である。
【図２】図１の水切り構造で用いた水切りの斜視図である。
【図３】図１の水切り構造における換気スリット部材および水切りを示すとともに、水切りを換気スリット部材の立ち上げ箇所に装着することを示した説明図である。
【図４】本発明の他の実施形態のバルコニーの垂れ壁における外装材の水切り構造を示した概略の断面図である。
【図５】従来の１階外壁パネルにおける外装材の水切り構造を示した概略の断面図である。
【発明を実施するための形態】
【００２０】
以下、この発明の実施の形態を添付図面に基づいて説明する。
図１および図２に示すように、この実施形態の水切り構造においては、１階の外壁パネル１の外装材１１における下部の裏面側に長尺の換気スリット部材（換気見切り部材）２が設けられているとともに、この換気スリット部材２を用いて長尺の水切り３が取り付けられた構造となっている。
【００２１】
上記外壁パネル１は、例えば、フレーム材１２と、このフレーム材１２の屋外側に設けられたグラスウールボード１３と、このグラスウールボード１３の屋外側に空気層を介して設けられた上記外装材１１と、上記フレーム材１２内に設けられたグラスウール１４とを備える。そして、上記換気スリット部材２を取り付けるための取付部材４が、上記フレーム材１２の下方側に螺子４１によって固定されている。
【００２２】
上記取付部材４は、下側が開放された形状を有しており、その内壁面側には係止爪４２が形成されている。また、上記換気スリット部材２の鋼製の本体部も下側が開放された形状を有しており、その外側面には上記係止爪４２に係合する弾性爪２１が形成されている。上記換気スリット部材２の本体部を上記取付部材４に下側から差し込むことで、上記弾性爪２１が上記係止爪４２に係合し、上記換気スリット部材２が上記取付部材４に取り付けられる。
【００２３】
また、上記換気スリット部材２の屋内側垂下部２２と基礎５の側面との間には、シール材５１が設けられている。そして、上記換気スリット部材２の屋外側垂下部２３には、通気のためのスリット部（メッシュ付き）が形成されており、上記外壁パネル１の空気層と外気との間が通気されるようになっている。また、上記屋外側垂下部２３の下端側は、屋外側に略水平に延びて立ち上がる形状を有している。上記立ち上がる形状の部分が立ち上げ箇所２４となる。
【００２４】
上記水切り３は、上記立ち上げ箇所２４に上側から押し込んで装着される装着部３１と、上記装着部３１の屋外側部位３１ａの下側から屋外側に斜め上方に延びて水切り対象である上記外装材１１の下面に接触する水切片部３２と、上記装着部３１の内側部において上記立ち上げ箇所２４に接触する押圧片部３３と、を備える。上記水切片部３２および上記押圧片部３３は、共に弾性（柔軟性）を有したヒレ形状に形成されている。この実施形態では、複数種類の素材を押出成形して一体化することによって、上記水切り３を作製している。
【００２５】
上記装着部３１は、例えば、ポリプロピレン（ＰＰ）からなる。また、上記水切片部３２および上記押圧片部３３は、例えば、オレフィン系熱可塑性エラストマー（ＴＰＥ）からなる。上記装着部３１は、上記水切片部３２および上記押圧片部３３よりも硬い素材からできていることになるが、これに限らない。また、上記水切片部３２および上記押圧片部３３は例えばベージュ色を有しており、上記換気スリット部材２もベージュ色に塗装されている。もちろん、このような色は例示であり、外装材１１の下端面の色や基礎５の色との関係で極力目立たない色を採用するのが望ましい。
【００２６】
上記装着部３１は、略逆Ｕ字の下側開放形状を有しており、その屋外側の部分が上記の屋外側部位３１ａをなし、屋内側の部分が屋内側部位３１ｂをなす。上記屋外側部位３１ａの下端位置は、上記換気スリット部材２の上記立ち上げ箇所２４の下部位置よりも下になるようにしている。そして、上記屋内側部位３１ｂの下側には、上記立ち上げ箇所２４を装着部３１に案内するガイド部３１ｃが形成されている。このガイド部３１ｃは屋内側の方向に下向きに傾斜する形状に形成されている。すなわち、上記ガイド部３１ｃによって、上記装着部３１の下端部（上記立ち上げ箇所２４が入る入口部）が広幅となり、また、入口奥ほど狭くなることで、上記立ち上げ箇所２４が装着部３１に案内されやすくなっている。
【００２７】
上記水切片部３２は、上記屋外側部位３１ａの下端からの高さが、例えば、７．５ｍｍに形成されている。そして、上記屋外側部位３１ａの下端から、例えば、４．３ｍｍの高さ位置が、上記外装材１１の下面に接触する正規位置とされている。この場合、上記屋外側部位３１ａの下端から４．３ｍｍ以上７．５ｍｍ未満の範囲内で上記外装材１１の下面位置の高さ誤差に対応することができる。なお、上記水切片部３２は、略４５度の仰角で斜め上方に形成されたが、このような角度に限定されるものではない。また、上記水切片部３２の基部側（上記屋外側部位３１ａの下端側）に孔部を形成しておき、この下端側で溜まろうとする水を上記孔部から排出する構造を採用することもできる。
【００２８】
また、上記水切り３を外装材１１の下側から斜め上方向に見るとき、上記装着部３１は見えず、ほぼ上記水切片部３２だけが見えるようになっている。また、上記方向に見るとき、上記換気スリット部材２の色と上記水切片部３２の色を視認することになる。さらに、上記屋外側部位３１ａの下端位置が、上記のように、上記換気スリット部材２の上記立ち上げ箇所２４の下部位置よりも下であると、上記方向に見るとき、主に上記換気スリット部材２の屋内側垂下部２２を視認することになる。
【００２９】
また、上記押圧片部３３は、上記屋内側部位３１ｂの内面側において、斜め上向きに突出するように形成されている。また、上記押圧片部３３は、上下に間隔をおいて水平方向に２本形成されている。もちろん、上記押圧片部３３は、上記屋外側部位３１ａの内面側において形成されていてもよいし、１本或いは３本以上形成されていてもよい。
【００３０】
上記の水切り３であれば、図３に示すように、上記装着部３１を上記立ち上げ箇所２４に上側から押し込むことで水切り３が装着されるので、従来構造のようにリベットを用いて水切りを部材に固定する必要がなく、水切り設置の施工性が向上し、作業コストも低減できる。また、弾性を有したヒレ状の水切片部３２が上記外装材１１の下面に接触するので、上記外装材１１の下面に段差が生じたとしても、上記下面から水切片部３２が離間して見えることが生じ難くなり、水切り設置箇所の美観が向上する。
【００３１】
上記装着部３１が上記水切片部３２よりも硬い素材からなっていると、上記装着部３１で上記水切片部３２をしっかりと支持することができる。もちろん、上記装着部３１が上記水切片部３２よりも硬い素材からなることに限定されない。
【００３２】
上記装着部３１の内側部に上記立ち上げ箇所２４に接触する上記押圧片部３３が形成されていると、上記装着部３１が上記立ち上げ箇所２４から外れ難くなる。上記換気スリット部材２に上記水切り３を装着して現場へ搬送するような場合でも、この搬送途中に上記水切り３が上記換気スリット部材２から外れるといった不具合を防止することができる。なお、上記押圧片部３３が形成されず、上記装着部３１の内側面と上記立ち上げ箇所２４の面との摩擦によって当該水切り３が装着されることとしてもよいものである。
【００３３】
上記押圧片部３３が斜め上向きに突出していると、上記押圧片部３３が逆刺（かえし）として機能するので、上記装着部３１を上記立ち上げ箇所２４に入れ易くなる一方で、上記装着部３１が上記立ち上げ箇所２４からより外れ難くなる。
【００３４】
上記装着部３１の屋外側部位の下側に上記立ち上げ箇所２４を装着部３１に案内するガイド部３１ｃが形成されていると、上記ガイド部３１ｃによって上記立ち上げ箇所２４を装着部３１に案内するので、上記装着部３１を上記立ち上げ箇所２４に入れ易くなる。
【００３５】
また、上記外装材の水切り構造においては、上記水切り３が、上記１階外壁の外装材１１の下部裏面側に配置する換気スリット部材２の立ち上げ箇所２４に、リベットを使わずに装着されるので、水切り３の取り付けの施工性が向上する。そして、従来の水切りにおける支持鋼板は不要であり、外装材１１の下部からの支持鋼板の離間が目立つといったことも無くなることからも、建物外観の美観を向上できる。
【００３６】
図４に他の実施形態の外装材の水切り構造を示す。この外装材の水切り構造は、例えば、バルコニーの垂れ壁６の外装材６１を水切り対象として、当該外装材６１の下面に、上記水切り３の水切片部３２が接触するように設けられる。そして、上記外装材６１の裏面側に設けられる軒天支持部材７に形成されている立ち上げ箇所７２に上記水切り３の上記装着部３１が差し込まれることで、上記水切り３が上記立ち上げ箇所７２により支持されている。
【００３７】
上記軒天支持部材７は、軒天板８の屋外側縁を支持する断面略コ字状の本体部７１を有しており、この本体部７１の上板部がビス８１によって下地部材６２に固定されている。上記立ち上げ箇所７２は上記本体部７１から屋外側の方に離間した位置に形成されている。
【００３８】
上記の構成であれば、上記水切り３が、上記垂れ壁６の外装材６１の下部裏面側に配置する軒天支持部材７の立ち上げ箇所７２に、リベットを使わずに装着されるので、水切り３の取り付けの施工性が向上する。
【００３９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４０】
１        ：外壁パネル
２        ：換気スリット部材（見切り部材）
３        ：水切り
４        ：取付部材
５        ：基礎
６        ：垂れ壁
７        ：軒天支持部材
８        ：軒天板
１１      ：外装材
１２      ：フレーム材
１３      ：グラスウールボード
１４      ：グラスウール
２１      ：弾性爪
２２      ：屋内側垂下部
２３      ：屋外側垂下部
２４      ：立ち上げ箇所
３１      ：装着部
３１ａ    ：屋外側部位
３１ｂ    ：屋内側部位
３１ｃ    ：ガイド部
３２      ：水切片部
３３      ：押圧片部
５１      ：シール材
６１      ：外装材
６２      ：下地部材
７１      ：本体部
７２      ：立ち上げ箇所
【図１】
0006734697.tif 000002
【図２】
0006734697.tif 000003
【図３】
0006734697.tif 000004
【図４】
0006734697.tif 000005
【図５】
0006734697.tif 000006